(57)【要約】【課題】給気風路を通流して給気対象空間に供給される外気を、当該給気風路に配置された湿式浄化部の水膜に通過させて、当該外気から不純物を除去する外気処理装置において、不純物の除去能力を好適なものに維持しながら、節水を図り、適切な状態の外気を給気対象空間に供給することができる技術を提供する。【解決手段】給気風路１において並列配置された複数の湿式浄化部１０を備えると共に、複数の湿式浄化部１０のうちの外気ＯＡが通過する通風状態とされる湿式浄化部１０の数を調整可能な通風数調整手段３３と、複数の湿式浄化部１０の夫々における給水状態を調整可能な給水状態調整手段３４とを備える。【選択図】図１
2019002605.tif 000002
【特許請求の範囲】
【請求項１】
給気対象空間に供給される外気が給気ファンの送風力により通流する給気風路と、
前記給気風路に配置され、所定の設定給水量以上の給水により形成した水膜に外気を通過させて、当該外気から不純物を除去する湿式浄化部とを備えた外気処理装置であって、
前記給気風路において並列配置された複数の前記湿式浄化部を備えると共に、
当該複数の湿式浄化部のうちの外気が通過する通風状態とされる湿式浄化部の数を調整可能な通風数調整手段と、
前記複数の湿式浄化部の夫々における給水状態を調整可能な給水状態調整手段とを備えた外気処理装置。
【請求項２】
前記給気ファンの送風量の減少に伴って、前記通風数調整手段を制御して、前記通風状態とされる湿式浄化部の数を減少させると共に、前記給水状態調整手段を制御して、前記複数の湿式浄化部のうちの外気が通過しない非通風状態とされる湿式浄化部での給水量を前記設定給水量よりも減少させる節水制御手段を備えた請求項１に記載の外気処理装置。
【請求項３】
前記節水制御手段が、前記非通風状態とされている湿式浄化部での外気の通過を開始するにあたり、当該非通風状態とされている湿式浄化部での給水量を前記設定給水量とした状態で外気の通過を開始する通風開始処理を実行する請求項２に記載の外気処理装置。
【請求項４】
前記節水制御手段が、前記複数の湿式浄化部の夫々における通風積算時間を均等化するように、前記非通風状態とする湿式浄化部を決定する通風積算時間均等化処理を実行する請求項２又は３に記載の外気処理装置。
【請求項５】
前記複数の湿式浄化部の夫々が、前記水膜が形成される水膜形成部と、当該水膜への外気の通過を断続可能な通風断続部と、当該水膜への給水状態を調整可能な給水部とを有して構成された湿式浄化モジュールとして構成され、
前記通風数調整手段が、前記複数の湿式浄化モジュールの夫々が有する通風断続部で構成され、
前記給水状態調整手段が、前記複数の湿式浄化モジュールの夫々が有する給水部で構成されている請求項１〜４の何れか１項に記載の外気処理装置。
【発明の詳細な説明】
【技術分野】
【０００１】
本発明は、給気対象空間に供給される外気が給気ファンの送風力により通流する給気風路と、前記給気風路に配置され、所定の設定給水量以上の給水により形成した水膜に外気を通過させて、当該外気から不純物を除去する湿式浄化部とを備えた外気処理装置に関する。
【背景技術】
【０００２】
従来、給気風路を通流して給気対象空間に供給される外気を、当該給気風路に配置された湿式浄化部の水膜に通過させて、当該外気から化学物質や塵埃等の不純物を除去するように構成された外気処理装置が知られている（例えば、特許文献１を参照。）。
かかる外気処理装置の湿式浄化部は、多孔質セラミック等からなる通気性のエレメント等からなる水膜形成部を有し、そのエレメントの上部に水を散水することで、当該エレメントの表面に水膜を形成する。そして、その水膜に外気を接触させることで、当該外気に含まれている不純物を水膜に吸収させる形態で除去することができる。
【先行技術文献】
【特許文献】
【０００３】
【特許文献１】特開２００２−９５９２４号公報
【発明の概要】
【発明が解決しようとする課題】
【０００４】
上記のような湿式浄化部を備えた外気処理装置では、節水を図る目的で湿式浄化部での給水量を所定の設定給水量よりも低下させると、エレメントの表面において不純物除去に必要な水膜が適切に形成されない箇所が生じ、結果、不純物の除去能力が急激に悪化する虞がある。従って、所望の不純物の除去能力を発揮するために、外気が通過する湿式浄化部での給水量を常時設定給水量以上に設定する必要があり、給水量を絞って節水を図ることは困難であった。
【０００５】
この実情に鑑み、本発明の主たる課題は、給気風路を通流して給気対象空間に供給される外気を、当該給気風路に配置された湿式浄化部の水膜に通過させて、当該外気から不純物を除去する外気処理装置において、不純物の除去能力を維持しながら、節水を図り、適切な状態の外気を給気対象空間に供給することができる技術を提供する点にある。
【課題を解決するための手段】
【０００６】
本発明の第１特徴構成は、給気対象空間に供給される外気が給気ファンの送風力により通流する給気風路と、
前記給気風路に配置され、所定の設定給水量以上の給水により形成した水膜に外気を通過させて、当該外気から不純物を除去する湿式浄化部とを備えた外気処理装置であって、
前記給気風路において並列配置された複数の前記湿式浄化部を備えると共に、
当該複数の湿式浄化部のうちの外気が通過する通風状態とされる湿式浄化部の数を調整可能な通風数調整手段と、
前記複数の湿式浄化部の夫々における給水状態を調整可能な給水状態調整手段とを備えた点にある。
【０００７】
本構成によれば、給気風路において複数の湿式浄化部を並列配置すると共に、上記通風数調整手段を備えるので、通風状態とされる湿式浄化部の数を調整することができる。更に、上記給水状態調整手段を備えるので、夫々の湿式浄化部での給水量を調整することができる。そして、上記通風数調整手段により通風状態とされている湿式浄化部においては、上記給水状態調整手段により給水量を設定給水量に維持して、不純物の除去能力を維持することができる。一方、上記通風数調整手段により非通風状態とされている湿式浄化部においては、上記給水状態調整手段により給水量を設定給水量よりも少ない量に変更する又は給水を停止する形態で減少させて、節水を図ることができる。更に、給気風路に設けられた給気ファンの送風量が減少した場合において、その外気が通過する水膜の面積や水量を減少させれば、給気対象空間に供給される外気の温度や湿度が、水の影響を受けて変動することを抑制することができる。
従って、本発明により、不純物の除去能力を維持しながら、節水を図り、適切な状態の外気を給気対象空間に供給することができる外気処理装置を提供することができる。
【０００８】
本発明の第２特徴構成は、前記給気ファンの送風量の減少に伴って、前記通風数調整手段を制御して、前記通風状態とされる湿式浄化部の数を減少させると共に、前記給水状態調整手段を制御して、前記複数の湿式浄化部のうちの外気が通過しない非通風状態とされる湿式浄化部での給水量を前記設定給水量よりも減少させる節水制御手段を備えた点にある。
【０００９】
本構成によれば、上記節水制御手段を備えるので、給気ファンの送風量が減少した場合には、通風状態とされる湿式浄化部の数が自動的に減少すると共に、非通風状態とされた湿式浄化部での給水量が自動的に減少して、効率良く節水を実施することができる。更に、給気ファンの送風量が減少した場合には、それに伴って、その外気が通過する水膜の面積や水量が自動的に減少するので、当該外気の温度や湿度が水の影響を受けて変動するのを効率良く抑制することができる。
【００１０】
本発明の第３特徴構成は、前記節水制御手段が、前記非通風状態とされている湿式浄化部での外気の通過を開始するにあたり、当該非通風状態とされている湿式浄化部での給水量を前記設定給水量とした状態で外気の通過を開始する通風開始処理を実行する点にある。
【００１１】
本構成によれば、上記節水制御手段が上記通風開始処理を実行するので、非通風状態から通風状態に切り替えられる湿式浄化部において、外気の通過を開始するにあたり、外気が通過する当初から、十分な給水量により適切な水膜を形成して、不純物の除去能力を発揮させることができる。
【００１２】
本発明の第４特徴構成は、前記節水制御手段が、前記複数の湿式浄化部の夫々における通風積算時間を均等化するように、前記非通風状態とする湿式浄化部を決定する通風積算時間均等化処理を実行する点にある。
【００１３】
本構成によれば、上記節水制御手段が上記通風積算時間均等化処理を実行するので、通風状態とされる湿式浄化部の数を減少させる場合でも、できるだけ通風積算時間が長い湿式浄化部を通風状態から非通風状態に切り替える形態で、非通風状態とする湿式浄化部を決定して、複数の湿式浄化部の夫々の通負積算時間を均等化することができる。よって、複数の湿式浄化部の夫々における水膜を形成するためのエレメント等の部品の劣化状態等を均等化して、長寿命化を図ることができる。
【００１４】
本発明の第５特徴構成は、前記複数の湿式浄化部の夫々が、前記水膜が形成される水膜形成部と、当該水膜への外気の通過を断続可能な通風断続部と、当該水膜への給水状態を調整可能な給水部とを有して構成された湿式浄化モジュールとして構成され、
前記通風数調整手段が、前記複数の湿式浄化モジュールの夫々が有する通風断続部で構成され、
前記給水状態調整手段が、前記複数の湿式浄化モジュールの夫々が有する給水部で構成されている点にある。
【００１５】
本構成によれば、複数の湿式浄化部の夫々が湿式浄化モジュールとして構成されているので、湿式浄化モジュールの複数を給気風路に並列配置するだけで、これら湿式浄化モジュールの夫々が有する通風断続部を通風数調整手段として機能させ、これら湿式浄化モジュールの夫々が有する給水部を給水状態調整手段として機能させることができる。
【図面の簡単な説明】
【００１６】
【図１】外気処理装置の概略構成図
【図２】図１に示す外気処理装置に設けられた湿式浄化モジュールの概略構成図
【図３】図１に示す外気処理装置に設けられた制御装置の概略構成図
【発明を実施するための形態】
【００１７】
本発明の実施形態について図面に基づいて説明する。
図１に示すように、本実施形態の外気処理装置は、給気ファン２が配置された給気風路１を備える。そして、給気ファン２の送風力により、外気ＯＡが給気風路１に導入され、当該導入された外気ＯＡが給気風路１の内部を通流し、当該通流した外気ＯＡが給気ＳＡとして、屋内等の給気対象空間に供給される。
【００１８】
給気風路１には、水膜に外気ＯＡを通過させて当該外気から化学物質や塵埃等の不純物を除去する湿式浄化モジュール１０（湿式浄化部の一例）が配置されている。更に、給気風路１には、内部を通流する外気ＯＡを、外部から供給される冷水や温水等との熱交換により冷却又は加熱するための複数の熱交換器３，４，５が配置されている。この熱交換器３，４，５としては、予熱用熱交換器３、冷却用熱交換器４、再熱用熱交換器５等が、上流側から順に配置されている。上記湿式浄化モジュール１０は、冷却用熱交換器４と再熱用熱交換器５との間の領域に配置されている。
即ち、給気風路１に導入された外気ＯＡは、予熱用熱交換器３、冷却用熱交換器４、湿式浄化モジュール１０、再熱用熱交換器５を順に通過した後に、給気ＳＡとして給気対象空間に供給される。
【００１９】
例えば、外気ＯＡの温度が高い夏季等においては、給気風路１に導入された外気ＯＡは、冷却用熱交換器４において冷却された後に、湿式浄化モジュール１０を通過して、不純物の除去が行われる。そして、このように冷却された後に不純物が除去された外気ＯＡが、給気ＳＡとして給気対象空間に供給される。
一方、外気ＯＡの温度が低い冬季等においては、給気風路１に導入された外気ＯＡは、予熱用熱交換器３において加熱された後に、湿式浄化モジュール１０を通過して、不純物の除去が行われる。そして、このように加熱された後に不純物が除去された外気ＯＡが、再熱用熱交換器５において適宜加熱された上で、給気ＳＡとして給気対象空間に供給される。
【００２０】
湿式浄化モジュール１０は、図２に示すように、水膜が形成される水膜形成部１５を有して構成されている。この水膜形成部１５は、多孔質セラミック等からなる通気性のエレメント１６と、そのエレメント１６の上端部に水を散水する散水管１７と、そのエレメント１６の下端部から滴下する水を受けるドレンパン１８とを有して構成されている。更に、湿式浄化モジュール１０は、水膜形成部１５に形成される水膜への外気ＯＡの通過を断続可能な通風断続部１１と、水膜形成部１５に形成される水膜への給水状態を調整可能な給水弁２０（給水部の一例）とを有して構成されている。
【００２１】
湿式浄化モジュール１０では、散水管１７からエレメント１６の上端部に水が散水されることで、エレメント１６全体に水が供給され、当該エレメント１６の表面に水膜が形成される。そして、エレメント１６を通過する外気ＯＡが、当該エレメント１６の表面に形成された水膜と接触することで、当該外気ＯＡに含まれている不純物が水膜に吸収される形態で除去されることになる。また、不純物を吸収した水は、エレメント１６の下端部から滴下してドレンパン１８に受けられ、最終的にはドレン水ＤＷとして外部に排出されることになる。
【００２２】
湿式浄化モジュール１０は、水膜形成部１５として、外気ＯＡの流れ方向に沿って上流側に配置された前段側水膜形成部１５ａと、外気ＯＡの流れ方向に沿って前段側水膜形成部１５ａよりも下流側に配置された後段側水膜形成部１５ｂとを備えた２段式に構成されている。そして、後段側水膜形成部１５ｂの散水管１７ｂには、開放された給水弁２０を介して水道管から供給された給水ＳＷが供給される。一方、前段側水膜形成部１５ａの散水管１７ａには、上記給水弁２０の開放と連動して作動された給水ポンプ１９を介して後段側水膜形成部１５ｂのドレンパン１８ｂに貯留する貯留水が供給される。尚、本実施形態とは逆に、給水ＳＷを前段側水膜形成部１５ａに供給し、前段側水膜形成部１５ａのドレンパン１８ａに貯留する貯留水を後段側水膜形成部１５ｂに供給するように構成しても構わない。
【００２３】
湿式浄化モジュール１０では、給水弁２０を開放すると共に給水ポンプ１９を作動させることで、水膜形成部１５に所定の設定給水量以上の水を供給する通常給水状態となる。一方、給水弁２０を遮断すると共に給水ポンプ１９を停止させることで、水膜形成部１５への水の供給を停止する給水停止状態となる。ここで、上記設定給水量は、水膜形成部１５における外気ＯＡからの不純物の除去能力を好適なものに維持するのに必要な最小給水量又はそれ以上の給水量として設定されている。
また、給水弁２０の開度調整を行うことで、それと連動して給水ポンプ１９の出力調整が行われて、夫々の水膜形成部１５ａ，１５ｂへの給水量を調整可能に構成されている。
【００２４】
そして、通常給水状態では、開放状態とされた給水弁２０から供給された給水ＳＷが、後段側水膜形成部１５ｂのエレメント１６ｂに供給され、当該エレメント１６ｂの表面に水膜を形成することになる。一方、エレメント１６ｂからドレンパン１８ｂに滴下した水が、作動状態とされた給水ポンプ１９により汲み上げられて前段側水膜形成部１５ａのエレメント１６ａに供給され、当該エレメント１６ａの表面に水膜を形成することになる。更に、エレメント１６ａからドレンパン１８ａに滴下した水がドレン水ＤＷとして外部に排出される。
尚、本実施形態では、湿式浄化モジュール１０を２段式に構成しているが、本発明はこの構成に限定されるものではなく、１段式又は３段式以上に構成しても構わない。また、本実施形態では、一方の水膜形成部１５ｂのドレン水（ドレンパン１８ｂの貯留水）を他方の水膜形成部１５ａの給水として利用するように構成しているが、本発明はこの構成に限定されるものではなく、夫々の水膜形成部に対して、ドレン水を利用せず、各別に給水を行っても構わない。
【００２５】
本実施形態において、外気ＯＡの通過を断続可能な通風断続部１１は、公知の電動式ダンパとして構成されている。具体的には、水膜形成部１５に通じる枠体１３と、当該枠体１３内に配置された複数のフラップ１２と、それら複数のフラップ１２の回転角度を変更可能な電動アクチュエータ１４とを備える。そして、電動アクチュエータ１４により複数のフラップ１２の回転角度を変更することで、開放状態と遮断状態とが切り替わり、枠体１３内での外気ＯＡの通過を断続可能となる。即ち、通風断続部１１を開放状態とすると、水膜形成部１５を外気ＯＡが通過する通風状態となり、通風断続部１１を遮断状態とすると、水膜形成部１５を外気ＯＡが通過しない非通風状態となる。
尚、本実施形態では、通風断続部１１を電動式ダンパとして構成しているが、本発明はこの構成に限定されるものではなく、電動式シャッターや電動式バタフライ弁等のような他の構成を採用して、外気ＯＡの通過を断続可能としても構わない。
【００２６】
図１に示すように、外気処理装置の給気風路１には、３つの湿式浄化モジュール１０が並列状態で配置されている。即ち、給気風路１の横断方向の中央部には、第２湿式浄化モジュール１０Ｂが配置され、その両側方側の夫々には、第１湿式浄化モジュール１０Ａ及び第３湿式浄化モジュール１０Ｃが配置されている。
【００２７】
上記３つの湿式浄化モジュール１０Ａ，１０Ｂ，１０Ｃの夫々に設けられた通風断続部１１が、水膜形成部１５を外気ＯＡが通過する通風状態とされる湿式浄化モジュール１０の数（以下、「通風数」と呼ぶ場合がある。）を調整可能な通風数調整手段３３（図３参照）として機能する。
また、上記３つの湿式浄化モジュール１０Ａ，１０Ｂ，１０Ｃの夫々に設けられた給水弁２０が、当該３つの湿式浄化モジュール１０の夫々における給水量を調整可能な給水状態調整手段３４（図３参照）として機能する。
尚、図１（ａ）〜（ｃ）の各図において、遮断状態の給水弁２０を黒塗りで表し、開放状態の給水弁２０を白抜きで表している。
【００２８】
図３に示すように、外気処理装置には、運転を制御する制御装置３０が設けられている。この制御装置３０は、所定のプログラムを実行することにより、所定の空調制御を実行する空調制御手段３１、及び、所定の節水制御を実行する節水制御手段３２として機能する。
以下、これら空調制御手段３１及び節水制御手段３２の詳細について、図１及び図３を参照して順に説明を加える。
【００２９】
〔空調制御手段〕
空調制御手段３１が実行する空調制御では、先ず、給気風路１から給気対象空間に供給される給気ＳＡの温度や湿度、更には給気対象空間において発熱する人員の数や生産機器の稼働率等に基づいて空調負荷を算出する。そして、このように算出した空調負荷に基づいて、熱交換器３，４，５への熱媒体の供給量を制御すると共に、給気ファン２の送風量を制御する形態で、給気対象空間の温度及び湿度を所望の温度及び湿度に調整する。即ち、空調制御手段３１は、空調負荷が小さくなるほど、熱交換器３，４，５への熱媒体の供給量を減少側に調整すると共に、給気ファン２の送風量を減少側に調整するように構成されている。
尚、本実施形態では、上記空調負荷の算出方法の一例を示したが、適宜変更しても構わない。
【００３０】
〔節水制御手段〕
節水制御手段３２は、所定の節水制御を実行すると共に、その節水制御において所定の通風開始処理及び通風積算時間均等化処理を実行するように構成されている。以下、これら節水制御、並びにその節水制御において実行される通風開始処理及び通風積算時間均等化処理の詳細について順に説明を加える。
【００３１】
（節水制御）
上記節水制御手段３２が実行する節水制御では、上記空調制御により給気ファン２の送風量が減少された場合において、その減少に伴って、通風数調整手段３３を制御すると共に、給水状態調整手段３４を制御する。
具体的には、通風数調整手段３３の制御では、開放状態である一部の通風断続部１１を遮断する形態で、複数の湿式浄化モジュール１０のうちの外気ＯＡが通過する通風状態とされる湿式浄化モジュール１０の数（通風数）を減少させる。更に、給水状態調整手段３４の制御では、複数の湿式浄化モジュール１０のうちの外気ＯＡが通過しない非通風状態とされる湿式浄化モジュール１０での給水量を設定給水量よりも減少させる。
【００３２】
例えば、図１（ｃ）に示すように、２つの第２及び第３湿式浄化モジュール１０Ｂ，１０Ｃが通風状態（外気ＯＡが通過する状態）であり、且つ、これら第２及び第３湿式浄化モジュール１０Ｂ，１０Ｃが通常給水状態（設定給水量以上の給水が行われている状態）である場合を想定する。この状態において、上記空調制御により給気ファン２の送風量が減少された場合には、図１（ａ）に示すように、第２湿式浄化モジュール１０Ｂは、通風状態且つ通常給水状態に維持される。一方、第３湿式浄化モジュール１０Ｃは、通風断続部１１及び給水弁２０が制御されて、非通風状態（外気ＯＡが遮断された状態）且つ給水停止状態（給水が停止された状態）に切り替えられる。即ち、通風数が自動的に２から１に減少されると共に、湿式浄化モジュール１０全体への給水ＳＷの給水量が自動的に減少されることになって、節水が図られることになる。
尚、本実施形態では、外気ＯＡが通過しない非通風状態とされる湿式浄化モジュール１０の給水量を減少させる形態の一例として、当該湿式浄化モジュール１０への給水状態を給水停止状態とするように構成したが、給水停止状態とするのではなく、給水量を上記設定給水量よりも少ない所定の小給水量に設定する小流量給水状態とするように構成しても構わない。
【００３３】
例えば、湿式浄化モジュール１０を通過する外気ＯＡは、冷却用熱交換器４により冷却されて、給水ＳＷよりも低温となっている場合がある。この場合、給気ファン２の送風量が減少した際に、湿式浄化モジュール１０において外気ＯＡが接触する水膜の面積や水量が大きすぎると、当該外気ＯＡが所望の温度又は湿度よりも昇温又は加湿されることが懸念される。
そこで、本実施形態の外気処理装置では、給気ファン２の送風量が減少した際に、通風数の減少に伴って、外気ＯＡが接触する水膜の面積や水量を自動的に減少させるので、外気ＯＡの昇温や加湿を抑制し、当該外気ＯＡの温度や湿度を安定化させることができる。
【００３４】
（通風開始処理）
上記節水制御において実行される通風開始処理では、非通風状態とされている湿式浄化モジュール１０において、当該湿式浄化モジュール１０での外気ＯＡの通過を開始するにあたり、給水量を設定給水量とした状態で外気ＯＡの通過を開始する。
具体的には、第３湿式浄化モジュール１０Ｃにおいて、通風断続部１１が遮断された非通風状態（図１（ａ）を参照）から通風断続部１１が開放された通風状態（図１（ｃ）を参照）に切り替えて、外気ＯＡの通過を開始する場合を想定する。この場合において、節水制御手段３２は、通風断続部１１を開放する時点よりも前に、湿式浄化モジュール１０への給水状態を給水停止状態から通常給水状態に切り替えて給水を再開して（図１（ｂ）を参照）、給水量を設定給水量以上に復帰させる。すると、この第３湿式浄化モジュール１０Ｃでは、外気ＯＡが通過する当初から、十分な設定給水量以上の給水により適切な水膜が形成されて、所望の不純物の除去能力が発揮されることになる。
【００３５】
尚、給水弁２０を給水停止状態から通常給水状態に切り替える給水タイミングについては、通風断続部１１を開放する通風タイミングよりも前であれば良い。例えばエレメント１６（図２を参照）全体に適切な水膜が形成された段階で通風が開始されるように、上記給水タイミングを設定することができる。また、非通風状態とされる湿式浄化モジュール１０への給水状態が小流量給水状態である場合には、通風断続部１１を開放する時点よりも前に、湿式浄化モジュール１０への給水状態を小流量給水状態から通常給水状態に切り替えて給水量を設定給水量以上に復帰させるように構成することができる。更に、次に通風数が増加された場合に、非通風状態から通風状態に切り替えられる対象として決定された湿式浄化モジュール１０については、予め給水量を設定給水量以上に維持しておくように構成しても構わない。
【００３６】
（通風積算時間均等化処理）
上記節水制御において実行される通風時間均等化処理では、夫々の湿式浄化モジュール１０における通風積算時間を均等化するように、非通風状態とする湿式浄化モジュール１０を決定する。
具体的には、節水制御手段３２は、夫々の湿式浄化モジュール１０において通風状態とされた積算時間である通風積算時間をタイマー（図示省略）等で計測する。そして、通風数を減少させる場合には、その時点において通風状態となっている湿式浄化モジュール１０のうち、通風積算時間が最も長い湿式浄化モジュール１０を非通風状態に切り替える。このことで、夫々の湿式浄化モジュール１０における水膜を形成するためのエレメント１６（図２を参照）等の部品の劣化状態等が均等化され、長寿命化が図られることになる。
【００３７】
〔別実施形態〕
本発明の他の実施形態について説明する。尚、以下に説明する各実施形態の構成は、それぞれ単独で適用するものに限られず、他の実施形態の構成と組み合わせて適用することも可能である。
【００３８】
（１）上記実施形態では、節水制御手段３２を備え、給気ファン２の送風量の減少に伴って通風数調整手段３３及び給水状態調整手段３４を制御して、通風数の減少と非通風状態とされる湿式浄化モジュール１０での給水量の減少とを自動的に行うように構成したが、これら通風数調整手段３３及び給水状態調整手段３４の操作を手動で実行するように構成しても構わない。
【００３９】
（２）上記実施形態では、給気ファン２の送風量が減少した場合に、湿式浄化モジュール１０の通風数及び給水量を減少させるように構成したが、例えば給気ＳＡの温度や湿度が高い場合に、給気ファン２の送風量を減少させることなく、湿式浄化モジュール１０の通風数及び給水量を減少させるように構成しても構わない。この場合、湿式浄化モジュール１０の通風数及び給水量の減少により、湿式浄化モジュール１０において外気ＯＡが接触する水膜の面積や水量が減少する。よって、湿式浄化モジュール１０を通過した外気ＯＡである給気ＳＡの昇温や加湿を抑制することができ、当該給気ＳＡの温度や湿度を安定化させることができる。
【００４０】
（３）上記実施形態では、水膜形成部１５、通風断続部１１、給水弁２０等を湿式浄化モジュール１０としてモジュール化して外気処理装置に搭載する例を説明したが、これら各部位を個別の単体で外気処理装置に設けるように構成しても構わない。
【００４１】
（４）上記実施形態では、給気風路１に複数の湿式浄化部を並列状態で配置するにあたり、湿式浄化部としての湿式浄化モジュール１０を３つ配置した例を示したが、湿式浄化部の数は複数であれば良く、例えば、２つ又は４つ以上の湿式浄化部を給気風路に並列状態で配置しても構わない。
【符号の説明】
【００４２】
１            給気風路
２            給気ファン
１０          湿式浄化モジュール（湿式浄化部）
１１          通風断続部
１５          水膜形成部
２０          給水弁（給水部）
３２          節水制御手段
３３          通風数調整手段
３４          給水状態調整手段
ＯＡ          外気
ＳＷ          給水
【図１】
2019002605.tif 000003
【図２】
2019002605.tif 000004
【図３】
2019002605.tif 000005